(57)【要約】【課題】  本発明の課題は、合成物質容器のための担持グリップ固定部を、容器の移送信頼性の改善を顧慮して、更に発展させることである。【解決手段】  合成物質容器における担持グリップ固定部であって、この担持グリップ固定部の場合、担持グリップ１を保持するための合成物質から成るコンソールプレート４が、容器２に装着された、または附設して形成された保持プレート７に固定されている様式の、上記担持グリップ固定部において、この担持グリップ固定部は、容器２における保持プレート７にねじ留め可能な、担持グリップ１のコンソールプレート４の、過回転防止装置、および誤回転防止装置を備えている。【選択図】      図２
2005170516.tif 000002
【特許請求の範囲】
【請求項１】
合成物質容器、特にブロー成形された合成物質樽における担持グリップ固定部であって、この担持グリップ固定部の場合、
担持グリップを保持するための合成物質から成るコンソールプレートが、容器外套壁部即ち容器壁部に装着された、またはこの容器外套壁部即ちこの容器壁部に附設して形成された、合成物質から成る保持プレートに固定されている様式の、上記担持グリップ固定部において、
容器（２）における保持プレート（７）にねじ留め可能な、担持グリップ（１）のコンソールプレート（４）の過回転防止装置、および誤回転防止装置を備えていることを特徴とする担持グリップ固定部。
【請求項２】
容器（２）における保持プレート（７）に附設して形成された、雄ねじ（９）を有するねじ付きピン（８）に対するコンソールプレート（４）のねじり固定のための、担持グリップ（１）のコンソールプレート（４）に附設して形成された、雌ねじ（６）を有するねじ付き接続用パイプ（５）と、
並びに、担持グリップ（１）のねじ留めされたコンソールプレート（４）の解離に対する誤回転防止装置として、円形のコンソールプレート（４）の外側縁部（１３）内における空隙部（１２）内へと係止し、且つ、この空隙部（１２）のストッパーエッジ部（１４）に当接している、容器（２）における継ぎ足し部（１０）に附設して形成され弾性的に形成された係止舌状部（１１）と、
および、過回転防止装置として、保持プレート（７）のねじ付きピン（８）に対して担持グリップ（１）のコンソールプレート（４）のねじ付き接続用パイプ（５）をねじり固定する際に、このコンソールプレート（４）の外側縁部（１３）内における第２の空隙部（１６）内へと係止し、且つ、この空隙部（１６）のストッパーエッジ部（１７）に当接している、容器（２）における保持プレート（７）に附設して形成され弾性的に形成された更に別の係止舌状部（１５）とを備えていることを特徴とする請求項１に記載の担持グリップ固定部。
【請求項３】
容器（２）における継ぎ足し部（１０）および保持プレート（７）に附設して形成された係止舌状部（１１、１５）、並びに、これら係止舌状部（１１、１５）の係止のための、担持グリップ（１）のコンソールプレート（４）の外側縁部（１３）内における空隙部（１２、１６）は、それぞれに、対角線状に相対して位置している状態で配設されていることを特徴とする請求項１または２に記載の担持グリップ固定部。
【請求項４】
吊り落としグリップとして形成された担持グリップ（１）は、ヒンジ状の移行部（３）によって、コンソールプレート（４）に枢着されていることを特徴とする請求項１から３のいずれか一つに記載の担持グリップ固定部。
【請求項５】
担持グリップ（１）を固定するために、容器（２）に対して旋回された位置（１ａ）において、担持グリップ（１）のコンソールプレート（４）の外側縁部（１３）内における係止窪み部（１９）内へと係止可能である、
少なくとも１つの担持グリップ（１）に附設して形成された係止突起部（１８）を備えていることを特徴とする請求項１から４のいずれか一つに記載の担持グリップ固定部。
【請求項６】
担持グリップ（１）の外に旋回して外された担持位置（１ｂ）の固定のための、
この担持グリップ（１）のコンソールプレート（４）に附設して形成されたストッパーを備えていることを特徴とする請求項１から５のいずれか一つに記載の担持グリップ固定部。
【請求項７】
担持グリップ（１）のための、
２つの、コンソールプレート（４）に附設して形成されたストッパーウェブ（２０）を備えることを特徴とする請求項６に記載の担持グリップ固定部。
【請求項８】
保持プレート（７）は、担持グリップ（１）のコンソールプレート（４）のねじ留めのために、容器（２）に沿って成形されていることを特徴とする請求項１から７のいずれか一つに記載の担持グリップ固定部。
【請求項９】
それぞれに１２０°だけ旋回されたねじ山始端部を有する、コンソールプレート（４）のねじ付き接続用パイプ（５）、および保持プレート（７）のねじ付きピン（８）の、３段式のねじ（６、９）を備えていることを特徴とする請求項１から８のいずれか一つに記載の担持グリップ固定部。
【発明の詳細な説明】
【技術分野】
【０００１】
本発明は、合成物質容器、特にブロー成形された合成物質樽における担持グリップ固定部であって、この担持グリップ固定部の場合、
担持グリップを保持するための合成物質から成るコンソールプレートが、容器外套壁部即ち容器壁部に装着された、またはこの容器外套壁部即ちこの容器壁部に附設して形成された、合成物質から成る保持プレートに固定されている様式の、上記担持グリップ固定部に関する。
【背景技術】
【０００２】
ヨーロッパ特許第４１３  ８３６号明細書（特許文献１）は、上記の様式の担持グリップ固定部を記載しており、この担持グリップ固定部の場合、少なくとも１つの分割裂け目によって境界され拡開可能に形成された、ハンドグリップのコンソールプレートが、プレート下側面における外側縁部に附設して形成されたアンダーカットでもって、容器外套部から成形された、きのこ状の突出部の、フランジ形に突き出た外側縁部に対して、形状一体的に載置されている。この担持グリップ固定部の場合、移送の間、担持グリップに対して容器を落下した場合、この担持グリップを有するコンソールプレートが、床、または積載面の上への衝突によって、容器壁部のきのこ状の突出部から脱落、および損傷を与えられるという危険が存在する。
【特許文献１】ヨーロッパ特許第４１３  ８３６号明細書
【発明の開示】
【発明が解決しようとする課題】
【０００３】
従って、本発明の根底をなす課題は、合成物質容器のための冒頭に記載した様式の担持グリップ固定部を、容器の移送信頼性の改善を顧慮して、更に発展させることである。
【課題を解決するための手段】
【０００４】
この課題は、本発明に従い、請求項１の特徴を有する担持グリップ固定部によって解決される。
【発明の効果】
【０００５】
従属請求項は、有利な、且つ合目的な、本発明の更なる構成を備えている。
【０００６】
合成物質容器における、本発明による担持グリップ固定部の過回転防止装置は、
容器における保持プレートに附設して形成された、雄ねじを有するねじ付きピンに対する、担持グリップのコンソールプレートに附設して形成された、雌ねじを有するねじ付き接続用パイプのねじり固定の際、ねじ山の損傷を防止し、且つ、
この容器における保持プレートにねじ留め可能な、この担持グリップのコンソールプレートの誤回転防止装置によって、この担持グリップ、もしくは、これら担持グリップが、この容器の持上げの際に、この容器から解離されることを回避する。
【０００７】
次に、図を参照して本発明を詳しく説明する。
【発明を実施するための最良の形態】
【０００８】
合成物質容器２、例えば合成物質樽のための、合成物質射出成形部材として製造された、両方の担持グリップ１は、吊り落としグリップとして形成されており、且つ、ヒンジ状の移行部３によって、コンソールプレート４に枢着されている。この担持グリップ１のコンソールプレート４において、雌ねじ６を有するねじ付き接続用パイプ５が、この容器２における保持プレート７に附設して形成された、雄ねじ９を有するねじ付きピン８に対して、矢印方向ａにおいてこのコンソールプレート４をねじり固定するために附設して形成されており、その際、これらねじ６、９は、３段式であり、且つ、ねじ山始端部が、それぞれに、１２０°だけ旋回されている。この保持プレート７は、ブロー成形によって形成された合成物質容器２に沿って成形されている（angeblasen）。
【０００９】
容器２における継ぎ足し部１０に、弾性的に形成された係止舌状部１１が附設して形成されており、この係止舌状部は、矢印方向ｂにおいて、担持グリップ１のねじ留めされたコンソールプレート４の解離に対する誤回転防止装置として、円形のコンソールプレート４の外側縁部１３内における空隙部１２内へと係止し、且つ、この空隙部１２のストッパーエッジ部１４に当接している。
【００１０】
容器２における保持プレート７に、更に別の弾性的に形成された係止舌状部１５が附設して形成されており、この係止舌状部は、過回転防止装置として、保持プレート７のねじ付きピン８に対して、担持グリップのコンソールプレート４のねじ付き接続用パイプ５をねじり固定する際に、このコンソールプレート４の外側縁部１３内における第２の空隙部１６内へと係止し、且つ、この空隙部１６のストッパーエッジ部１７に当接している。
【００１１】
容器２における継ぎ足し部１０および保持プレート７に附設して形成された係止舌状部１１、１５、並びに、これら係止舌状部１１、１５の係止のための、担持グリップ１のコンソールプレート４の外側縁部１３内における空隙部１２、１６は、それぞれに、対角線状に相対して位置している状態で配設されている。
【００１２】
担持グリップ１において、２つの係止突起部１８が附設して形成されており、これら係止突起部は、担持グリップ１を固定するために、容器２に対して旋回された位置１ａにおいて、それぞれに、担持グリップのコンソールプレート４の外側縁部１３内における係止窪み部１９内へと係止可能である。
【００１３】
コンソールプレート４において、それぞれに２つのストッパーウェブ２０が、担持グリップ１の外に旋回して外された担持位置１ｂの固定のために附設して形成されている。
【図面の簡単な説明】
【００１４】
【図１】その合成物質樽に固定された担持グリップを有する、合成物質樽の側面図である。
【図２】拡大された、透視的な図示における、図１による担持グリップ固定部の正面図である。
【図３】合成物質樽に装着された担持グリップ固定部の側面図である。
【図４】担持グリップ固定部の、拡大された長手方向断面図である。
【図５】拡大された、透視的な図示における、担持グリップのコンソールプレートを伴っていない、容器に附設して形成された、担持グリップ固定部の構造要素の正面図である。
【符号の説明】
【００１５】
１    担持グリップ
２    合成物質容器、  容器
３    移行部
４    コンソールプレート
５    ねじ付き接続用パイプ
６    雌ねじ
７    保持プレート
８    ねじ付きピン
９    雄ねじ
１０  継ぎ足し部
１１  係止舌状部
１２  空隙部
１３  外側縁部
１４  ストッパーエッジ部
１５  係止舌状部
１６  第２の空隙部
１７  ストッパーエッジ部
１８  係止突起部
１９  係止窪み部
２０  ストッパーウェブ
１ａ    旋回された位置
１ｂ    担持位置
ａ    矢印方向
ｂ    矢印方向
【図１】
2005170516.tif 000003
【図２】
2005170516.tif 000004
【図３】
2005170516.tif 000005
【図４】
2005170516.tif 000006
【図５】
2005170516.tif 000007